【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
印刷版として使用するシリンダ形状要素を作製する方法であって、
ａ）第１の端部と、前記第１の端部と反対側の第２の端部とを有する第１のシート材料を用意することと、
ｂ）前記第２の端部を前記第１の端部に隣接させるように前記シートを巻き付けることによって、前記シートを、外側面、および前記第１の端部と前記第２の端部との継ぎ目を有するベーススリーブに形成することと、
ｃ）前記継ぎ目の少なくとも一部を覆う画像形成可能材料を前記外側面に隣接して適用することと、
を含み、
前記第１の端部が非線形直線部を形成していて、この非線形直線部が振幅を有しかつ前記第２の端部の一部と重なっている、方法。
【請求項２】
印刷版として使用するシリンダ形状ベーススリーブを作製する方法であって、
ａ）第１の端部と、第１の端部と反対側の第２の端部とを有する第１のシート材料を用意することと、
ｂ）前記第２の端部を前記第１の端部に隣接させるように、前記シートをシリンダ状支持部材に巻き付け、それによって、前記シートを、外側面、および前記第１の端部と前記第２の端部との継ぎ目を有する前記ベーススリーブへと形成し、前記第１の端部は、振幅を有しかつ前記第２の端部の一部と重なる非直線縁部を形成することと、
ｃ）非直線縁部を形成する少なくとも１つの端部をそれぞれが有する、１つまたは複数のさらなるシート材料を用いてステップａ）およびステップｂ）を繰り返すことと、
ｄ）ステップｃ）で得られたベーススリーブを硬化させることと、
を含む方法。
【請求項３】
ａ）第１の端部と、前記第１の端部と反対側の第２の端部とを有する第１のシート材料を含むベーススリーブであって、前記第１の端部は、前記第２の端部を前記第１の端部に隣接させて前記第１・第２の端部の継ぎ目を形成するように巻き付けられており、前記ベーススリーブは外側面を有し、
ｂ）前記継ぎ目の少なくとも一部を覆う前記外側面に隣接する画像形成可能材料の層、
とを含むシリンダ形状印刷版前駆体であって、
前記第１の端部は、振幅を有しかつ前記第２の端部の一部と重なる非直線縁部を形成する、シリンダ形状印刷版前駆体。
【手続補正２】
【補正対象書類名】明細書
【補正対象項目名】００８２
【補正方法】変更
【補正の内容】
【００８２】
観察者＃１は、実施例（ジグザグパターンの継ぎ目）のベーススリーブ、および比較例Ａ（重なった継ぎ目）のベーススリーブに関係する印刷欠陥数が最小であることを検出した。観察者＃２は、実施例のベースプレートに関する印刷欠陥量が最小であることを検出した。結果を総合すると、ジグザグ継ぎ目、すなわち、重なり部分と非接触部分とがある継ぎ目を有する実施例のベーススリーブは、真っすぐに重った継ぎ目を有する比較例Ａのベーススリーブ、および真っすぐなギャップのある継ぎ目を有する比較例Ｂのベーススリーブよりも印刷欠陥が大幅に少ないことを示した。実施例のベーススリーブの不連続継ぎ目は、シリンダ状印刷版の中に認めることができるが、この継ぎ目の存在は、凸版パターンの床部を形成するための、ベーススリーブを介した露光に干渉しないし、印刷画像へのプリントスルーももたらさない。
本発明は以下の実施の態様を含むものである。
１．印刷版として使用するシリンダ形状要素を作製する方法であって、
ａ）第１の端部と、前記第１の端部と反対側の第２の端部とを有する第１のシート材料を用意することと、
ｂ）前記第２の端部を前記第１の端部に隣接させるように前記シートを巻き付けることによって、前記シートを、外側面、および前記第１の端部と前記第２の端部との継ぎ目を有するベーススリーブに形成することと、
ｃ）前記継ぎ目の少なくとも一部を覆う画像形成可能材料を前記外側面に隣接して適用することと、
を含み、
前記第１の端部が非線形直線部を形成していて、この非線形直線部が振幅を有しかつ前記第２の端部の一部と重なっている、方法。
２．前記適用するステップは、前記継ぎ目を覆う前記画像形成可能材料の連続する層を形成する、前記１に記載の方法。
３．前記材料は、繊維材料と硬化性樹脂とを含む複合材料である、前記１に記載の方法。
４．前記材料は、布材料と熱硬化性樹脂とを含む複合材料である、前記１に記載の方法。
５．前記継ぎ目は、重なり部分と、前記第１の端部と前記第２の端部との間の１つまたは複数のギャップ部分とを含む不連続継ぎ目である、前記１に記載の方法。
６．前記継ぎ目は、１つまたは複数の前記重なり部分と、前記第１の端部と前記第２の端部との間のギャップを形成する１つまたは複数の非接触部分とを含む、前記１に記載の方法。
７．前記巻き付けステップは、前記シートをシリンダ形状の支持体上に置き、前記第２の端部と前記第１の端部とが隣接するように前記支持体を回転させることを含む、前記１に記載の方法。
８．前記非直線縁部は複数の波からなる波形を含み、各波は、同じでも異なっていてもよい振幅を有する、前記１に記載の方法。
９．前記非直線縁部は複数の波からなる波形を含み、各波は、同じでも異なっていてもよい周期幅を有する、前記１に記載の方法。
１０．前記継ぎ目は、前記第２の端部が前記非直線縁部の前記振幅の少なくとも一部と接触する軸方向継ぎ目である、前記１に記載の方法。
１１．前記第２の端部は直線縁部を形成する、前記１に記載の方法。
１２．前記第２の端部は、前記第１の端部の前記振幅とは異なる振幅を有する非直線縁部を形成する、前記１に記載の方法。
１３．前記非直線縁部は複数の波からなる波形を含み、各波は振幅および周期幅を有していてこれらは同じであり、前記第２の端部は、複数の波からなる波形を含む非直線縁部を有し、各波は振幅および周期を有していてこれらが前記第１の端部の前記振幅および周期と同じかまたは異なる、前記１に記載の方法。
１４．前記第２の端部の前記複数の波の前記周期は、前記第１の端部の前記複数の波の前記周期と位相がずれている、前記１３に記載の方法。
１５．前記第１の端部の１５〜９０％が前記第２の端部との重なり部分を形成する、前記１に記載の方法。
１６．前記振幅は、印刷シリンダに取り付けられた前記印刷版と印刷機の印圧ロールとの間のニップ部に形成される印刷幅以上の高さを有する、前記１に記載の方法。
１７．前記適用するステップｃ）の前に、
ｂｉ）第１の端部および第２の端部を有するさらなるシート材料を、前記第２の端部が前記さらなるシートの前記第１の端部に隣接するように、前記ベーススリーブの前記外側面に巻き付けて前記さらなるシートの継ぎ目を形成し、前記さらなるシートの前記第１の端部が非線形直線部を形成していて、この非線形直線部が振幅を有しかつ前記さらなるシートの前記第２の端部の一部と重なっていること、
をさらに含む、前記１に記載の方法。
１８．前記第１のシートの前記継ぎ目は軸方向継ぎ目であり、前記さらなるシートの前記継ぎ目は、前記軸方向継ぎ目から円周方向にずれている、前記１７に記載の方法。
１９．前記ベーススリーブは軸方向長さを有し、前記方法は、前記さらなるシートの前記継ぎ目の前記重なり部分の少なくとも１つの軸方向位置を、前記第１のシートの前記継ぎ目の前記重なり部分の軸方向位置から長さ方向にずらすことをさらに含む、前記１７に記載の方法。
２０．１つまたは複数のさらなるシート材料を、すでに巻かれた前記シートの外側面上に配置させることで、ステップｂｉ）をさらに繰り返すことをさらに含む、前記１７に記載の方法。
２１．前記適用するステップｃ）の前に、除去可能なフィルムを前記ベーススリーブの前記外側面の周囲に巻き付け、加熱して前記材料を硬化させ、前記フィルムを除去することをさらに含む、前記１に記載の方法。
２２．前記除去可能なフィルムは収縮包装フィルムである、前記２１に記載の方法。
２３．前記画像形成可能材料には感光性材料が含まれる、前記１に記載の方法。
２４．前記画像形成可能材料には、エラストマー結合剤、少なくとも１つのエチレン系不飽和化合物、および光開始剤からなる光重合可能な組成物が含まれる、前記１に記載の方法。
２５．ステップｃ）の後、
前記画像形成可能材料の前記層から印刷面を形成することと、
前記印刷版を印刷機の印刷シリンダに取り付けることと、
をさらに含み、
前記振幅は、前記印刷版と前記印刷機の印圧ロールとの間のニップ部に形成される印刷幅以上の高さを有する、前記１に記載の方法。
２６．適用するステップｃ）の前に、接着剤の塗布、研磨、またはグリットブラストから選択される改質処理で前記ベーススリーブの前記外側面を改質することをさらに含む、前記１に記載の方法。
２７．印刷版として使用するシリンダ形状ベーススリーブを作製する方法であって、
ａ）第１の端部と、第１の端部と反対側の第２の端部とを有する第１のシート材料を用意することと、
ｂ）前記第２の端部を前記第１の端部に隣接させるように、前記シートをシリンダ状支持部材に巻き付け、それによって、前記シートを、外側面、および前記第１の端部と前記第２の端部との継ぎ目を有する前記ベーススリーブへと形成し、前記第１の端部は、振幅を有しかつ前記第２の端部の一部と重なる非直線縁部を形成することと、
ｃ）非直線縁部を形成する少なくとも１つの端部をそれぞれが有する、１つまたは複数のさらなるシート材料を用いてステップａ）およびステップｂ）を繰り返すことと、
ｄ）ステップｃ）で得られたベーススリーブを硬化させることと、
を含む方法。
２８．ａ）第１の端部と、前記第１の端部と反対側の第２の端部とを有する第１のシート材料を含むベーススリーブであって、前記第１の端部は、前記第２の端部を前記第１の端部に隣接させて前記第１・第２の端部の継ぎ目を形成するように巻き付けられており、前記ベーススリーブは外側面を有し、
ｂ）前記継ぎ目の少なくとも一部を覆う前記外側面に隣接する画像形成可能材料の層、
とを含むシリンダ形状印刷版前駆体であって、
前記第１の端部は、振幅を有しかつ前記第２の端部の一部と重なる非直線縁部を形成する、シリンダ形状印刷版前駆体。
２９．前記画像形成可能材料の前記層は連続し、かつ前記継ぎ目を覆っている、前記２８に記載の前駆体。
３０．前記画像形成可能材料は、エラストマー結合剤、少なくとも１つのエチレン系不飽和化合物、および光開始剤からなる光重合可能な組成物を含む、前記２８に記載の前駆体。
３１．前記シート材料は硬化性樹脂が前もって含浸された繊維材料を含む複合材料である、前記２８に記載の前駆体。
３２．前記シート材料は布材料と熱硬化性樹脂とを含む複合材料である、前記２８に記載の前駆体。
３３．前記継ぎ目は、前記重なり部分と、前記第１の端部と前記第２の端部との間の１つまたは複数のギャップ部分とを含む不連続継ぎ目である、前記２８に記載の前駆体。
３４．前記継ぎ目は、１つまたは複数の前記重なり部分と、前記第１の端部と前記第２の端部との間のギャップを形成する１つまたは複数の非接触部分とを含む、前記２８に記載の前駆体。
３５．前記非直線縁部は複数の波の波形を含み、各波は、同じでまたは異なっていてよい振幅を有する、前記２８に記載の前駆体。
３６．前記非直線縁部は複数の波の波形を含み、各波は、同じでまたは異なっていてよい周期幅を有する、前記２８に記載の前駆体。
３７．前記継ぎ目は、前記第２の端部が前記非直線縁部の前記振幅の少なくとも一部と接触する軸方向継ぎ目である、前記２８に記載の前駆体。
３８．前記第２の端部は直線縁部を形成する、前記２８に記載の前駆体。
３９．前記第２の端部は、前記第１の端部の前記振幅とは異なる振幅を有する非直線縁部を形成する、前記２８に記載の前駆体。
４０．前記非直線縁部は複数の波の波形を含み、各波は振幅および周期幅を有していてこれらは同じであり、前記第２の端部は、複数の波の波形を含む非直線縁部を有し、各波は振幅および周期を有していてこれらが前記第１の端部の前記振幅および周期と同じかまたは異なる、前記２８に記載の前駆体。
４１．前記第２の端部の前記複数の波の前記周期は、前記第１の端部の前記複数の波の前記周期と位相がずれている、前記４０に記載の前駆体。
４２．前記第１の端部の１５〜９０％が前記第２の端部との重なり部分を形成する、前記２８に記載の前駆体。
４３．前記振幅は、印刷シリンダに取り付けられた前記印刷版と印刷機の印圧ロールとの間のニップ部に形成される印刷幅以上の高さを有する、前記２８に記載の前駆体。
４４．前記第１のシートの外側面上に１つまたは複数のさらなるシート材料をさらに含む、前記２８に記載の前駆体。
４５．前記第２の端部を前記さらなるシートの前記第１の端部に隣接させて前記さらなるシートの継ぎ目を形成する、第１の端部および第２の端部を前記ベーススリーブの前記外側面上に有するさらなるシート材料であって、前記さらなるシートの前記第１の端部が非線形直線縁部を形成していて、この非線形直線縁部が振幅を有しかつ前記さらなるシートの前記第２の端部の一部と重なっている、前記２８に記載の前駆体。
４６．前記第１のシートの前記継ぎ目は第１の軸方向継ぎ目であり、前記さらなるシートの前記継ぎ目は、前記第１の軸方向継ぎ目から円周方向にずれている、前記４５に記載の前駆体。
４７．前記ベーススリーブは軸方向長さを有し、前記第１のシートの前記継ぎ目は２つ以上の波の波形をさらに含み、各波は、同じでも異なっていてもよい振幅を有するとともに前記軸方向長さに軸方向位置を有し、前記さらなるシートの前記継ぎ目は２つ以上の波の波形を含み、各波は、同じでも異なっていてもよい振幅を有するとともに前記軸方向長さに軸方向位置を有し、
前記第１のシートの前記波の少なくとも一つの前記軸方向位置は前記さらなるシートの前記波の少なくとも一つの軸方向位置からずれている、前記４５に記載の前駆体。